【手続補正書】
【提出日】平成27年7月6日(2015.7.6)
【手続補正１】
【補正対象書類名】特許請求の範囲
【補正対象項目名】全文
【補正方法】変更
【補正の内容】
【特許請求の範囲】
【請求項１】
プレスの工具ホルダに取り付けられるようにされた工具組立体であって、
前記工具組立体は、分離可能な部分を含み、前記分離可能な部分は、ホルダとチップとを含み、
前記工具組立体は、前記ホルダ及び前記チップの第１の部分を前記ホルダ及び前記チップの第２の部分に対して位置決めして着座させるようにされた、自己着座構造を含んでおり、
前記自己着座構造は、第１の及び第２の端部領域を有するリンク部材を含んでおり、前記第１の端部領域は、前記ホルダ及びチップの第１の部分との、剛な取り付けを形成しており、前記第２の端部領域は、前記ホルダ及びチップの前記第１の部分から突出し、前記ホルダ及びチップの第２の部分によって係合するようにされており、前記ホルダ及びチップの前記第１の部分の取り付け面が、前記ホルダ及びチップの前記第２の部分の対応する面に、前記ホルダ及びチップの前記第１の部分の更なる調節を必要とせずに、位置決めされ着座され、結合部材が、前記ホルダ及びチップの前記第２の部分に取り付けられ、前記リンク部材の構成部材が前記ホルダ及びチップの前記第２の部分の穴内に受容されるときに、前記結合部材の少なくとも一部が、前記リンク部材の構成部材に向かって又は離れるように選択的に動かされ、前記結合部材の一部の、前記リンク部材の構成部材に向かう動きが、前記結合部材の一部に前記構成部材とのカム作用を発生させるように、前記構成部材に対して軸方向であり、これによって、前記リンク部材の第２の端部領域を、前記ホルダの穴内で更に引っ張り、前記チップと前記ホルダとの間のぴったりした結合を与える、
工具組立体。
【請求項２】
前記ホルダ及びチップの第１の部分が、前記リンク部材の前記第１の端部領域が前記チップとの剛な取り付けを形成するようにされている、チップであり、前記ホルダ及びチップの第２の部分が、前記リンク部材の第２の端部領域が前記ホルダに対して接合されるか又は前記ホルダから取り外されるかを選択できるようにされている、ホルダである、請求項１に記載の工具組立体。
【請求項３】
前記チップは、パンチチップを含み、前記ホルダは、パンチチップのホルダを含む、請求項２に記載の工具組立体。
【請求項４】
前記チップは、第１の材料から形成されており、前記ホルダは、第１の材料よりも軽量の第２の材料から形成されており、前記第２の材料は、非鉄で非鋼の材料を含む、請求項１に記載の工具組立体。
【請求項５】
前記第２の材料は、材料強度が少なくとも約５５２ＭＰａ（８０ｋｓｉ）の合金を含む、請求項４に記載の工具組立体。
【請求項６】
前記ホルダは、前記ホルダの長手方向範囲を形成するように配列された複数のモジュール式の構成部材を含み、前記チップは、同じ長手方向範囲の単一の本体を含み、前記自己着座構造は、前記単一の本体の範囲に沿って配置された複数のリンク部材を含み、各リンク部材が、前記モジュール式のホルダ部材の１つに形成された穴に対応する、請求項２に記載の工具組立体。
【請求項７】
前記結合部材は、前記リンク部材を固定解除するように、ワンステッププロセスを介して作動するようにされている結合手段の一部である、請求項１に記載の工具組立体。
【請求項８】
前記ワンステッププロセスは、工具不要な作業である、請求項７に記載の工具組立体。
【請求項９】
前記結合手段は、ボタンの組立体を含む、請求項８に記載の工具組立体。
【請求項１０】
前記結合手段は、ソレノイドの組立体を含む、請求項８に記載の工具組立体。
【請求項１１】
前記構成部材は、雌のデテントを含み、前記結合部材のエッジ又は表面と、前記雌のデテントを形成するエッジ又は表面と、の間の係合が、前記チップの取り付け面を、前記ホルダの対応する面に向かって直接引っ張り、着座させ、前記結合手段のエッジ又は表面と、前記雌のデテントを形成するエッジ又は表面と、の間の係合解除が、前記リンク部材と前記ホルダ及びチップの第１の部分を、前記ホルダ及びチップの第２の部分からはずす、請求項１に記載の工具組立体。
【請求項１２】
前記自己着座構造は、更に、前記ホルダから突出す１対のレールを含み、前記１対のレールの間に、前記チップが着座し、前記１対のレール及びリンク部材が、前記チップと前記ホルダとを互いに位置決めする二要素で挟む手段を提供する、請求項２に記載の工具組立体。
【請求項１３】
前記取り付け穴又は取り付け孔が、前記ホルダによって形成され、前記工具組立体のプレス軸に対して少なくとも平行な方向に延び、前記リンク部材の前記構成部材に向かう、又は前記リンク部材の前記構成部材から離れる、前記結合部材の前記運動が、前記工具組立体のプレス軸に対して横方向である、請求項１に記載の工具組立体。
【請求項１４】
前記結合部材は、前記ホルダ上に位置し、前記ホルダは、パンチチップのホルダであり、前記チップは、パンチチップであり、前記結合部材の前記部分は、前記リンク部材の前記構成部材とカム作用をするようにされており、
着座のためにプレスの基準行程を実施する必要なしに、前記チップを前記ホルダに着座させ、前記カム作用が、前記パンチのチップを、前記パンチのチップの前記ホルダに向かって、前記ホルダの着座位置に引っ張る、
請求項１に記載の工具組立体。
【請求項１５】
前記工具組立体が、プレスブレーキの上に取り付けられるように形成され、前記工具組立体の前記ホルダが、前記プレスブレーキの上又は下のビームに作動可能に取り付けるようにされている、請求項１に記載の工具組立体。
【請求項１６】
プレス軸を有するプレスの工具ホルダ上で使用する工具組立体を提供する方法であって、前記方法が、
自己着座構造を、前記工具組立体のチップに取り付ける工程であって、前記自己着座構造が、第１の端部領域と第２の端部領域を有するリンク部材を含み、前記自己着座構造を前記工具組立体の前記チップに取り付ける工程が、前記第１の端部領域を、前記チップに剛に取り付ける工程を備える、工程と、
前記自己着座構造を、前記工具組立体のホルダと係合させる工程であって、前記自己着座構造の前記係合の結果、チップの取り付け面が、前記チップの更なる調節なしに、前記ホルダの対応する面に位置決めされ着座され、前記係合が、前記ホルダに設けられた結合部材を利用するものであり、前記リンク部材の構成部材が前記ホルダの穴内に受容されるときに、前記結合部材の少なくとも一部が、前記リンク部材の構成部材に向かって選択的に動かされ、前記結合部材の前記少なくとも一部が、前記結合部材の一部に前記構成部材とのカム作用を発生させるように、前記リンク部材の構成部材に向かって、前記構成部材に対して軸方向に動かされ、これによって、前記リンク部材の第２の端部領域を、前記ホルダの穴内で更に引っ張り、前記チップと前記ホルダとの間のぴったりした結合を与える、工程と、
を含む、方法。
【請求項１７】
前記リンク部材が、前記リンク部材の軸が前記プレス軸に対して平行であるように、前記チップに取り付けられており、前記チップの取り付け面と前記ホルダの対応する面とが、前記プレス軸に対して垂直である、請求項１６に記載の方法。
【請求項１８】
前記チップを前記ホルダに結合する、前記工程は、工具不要な作業によって前記結合部材を作動させる工程を含む、請求項１６に記載の方法。
【請求項１９】
前記工具不要な作業が、ボタンの組立体のボタンを押す工程を含む、請求項１８に記載の方法。
【請求項２０】
前記リンク部材の前記第２の端部領域が、前記リンク部材の前記第１の端部領域から延び、前記第１の端部領域が、前記ホルダ及びチップの前記第１の部分の穴内に受容され、前記第２の端部領域が、前記ホルダ及びチップの前記第２の部分の穴内に受容され、前記ホルダ及びチップの前記第１の部分が、前記ホルダ及びチップの前記第２の部分に対して位置決めされ、着座するときに、前記リンク部材が前記穴の内部に入っている、請求項１に記載の工具組立体。